(57)【要約】      （修正有）【課題】他人の助けを必要としないで、撮影者が被写体と同時に同一映像にして撮影できるカメラ取り付け用保持具を提供する。【解決手段】カメラが取り付けられる台部と、後端部に把持部が形成されたロッドと、このロッドの先端部と台部との間に介在されこれらを互いに連結する首振り手段と、からなる。首振り手段は、ロッドの先端に固定される基部と台部とを互いに揺動自在に取り付ける揺動手段と、揺動手段による基部と台部との揺動の禁止や禁止解除を行うための制動部と、台部に回転自在に取り付けられ、台部より外方に一部が突出する回転操作手段と、回転操作手段に一端が固定され、他端が台部より外方に突出してカメラに形成された雌螺子と螺合するための雄螺子と、を有する。【選択図】図１
0003161548.tif 000002
【実用新案登録請求の範囲】
【請求項１】
カメラが取り付けられる台部と、後端部に把持部が形成されたロッドと、このロッドの先端部と前記台部との間に介在されこれらを互いに連結する首振り手段と、からなるカメラ取り付け用保持具であって、
前記首振り手段は前記台部を前記ロッドの軸方向に対して任意な方向に傾き可能であることを特徴するカメラ取り付け用保持具。
【請求項２】
前記首振り手段は、前記ロッドの先端に固定される基部と前記台部とを互いに揺動自在に取り付ける揺動手段と、前記揺動手段による前記基部と前記台部との揺動の禁止や禁止解除を行うための制動部と、前記台部に回転自在に取り付けられるものであって前記台部より外方に一部が突出する回転操作手段と、前記回転操作手段に一端が固定されるものであって他端が前記台部より外方に突出してカメラに形成された雌螺子と螺合するための雄螺子と、を有し、
前記基部と前記台部との傾斜角度を前記制動部によって調整し、前記カメラの雌螺子と  前記回転操作手段の前記雄螺子とを螺合して前記カメラを前記台部に固定する際に、前記台部に対する前記カメラの取り付け角度を調整することを特徴する請求項１に記載のカメラ取り付け用保持具。
【請求項３】
前記揺動手段は、前記基部に前記ロッドの軸方向に対して直交する位置に回転自在に支持される回転軸と、前記台部の後端に固着されるとともに前記回転軸に固定される回動部と、から構成したことを特徴する請求項２に記載のカメラ取り付け用保持具。
【請求項４】
前記制動部は、前記基部に設けられ押されることにより、回動部と前記基部との間に摩擦力を発生して、前記回転軸の回転を禁止することを特徴とする請求項２に記載のカメラ取り付け用保持具。
【請求項５】
前記首振り手段は、前記台部を先端に固定し後端が前記ロッドに固定される折れ曲がり可能な蛇腹機能を備えた蛇腹部から構成し、この蛇腹部は所定の形状に外力を加えると変形し、外力を除去するとこの変形状態を保持することを特徴する請求項１に記載のカメラ取り付け用保持具。
【請求項６】
前記蛇腹部の断面が環状または多角形であることを特徴とする請求項５に記載のカメラ取り付け用保持具。
【請求項７】
前記台部は中央部から先部を上方が開放した箱状であるとともに、前記箱状の台部は携帯電話を収容可能な大きさに形成し、この携帯電話のカメラ機能部のレンズの高さより前記台部の箱状の上端が下になる高さに形成し、前記台部に挿入されたカメラを前記台部と共に、前記蛇腹部に外力を加えて折り曲げて適宜変形し、外力を除去するとこの変形状態を保持することにより当該カメラの撮影方向を前記ロッドの長手方向に関して任意に設定することを可能にした請求項５に記載のカメラ取り付け用保持具。
【請求項８】
前記ロッドは、大小異半径の複数の単位円筒が半径の近いもの同士を、又は断面が多角形の相似単位角柱が面積が近いもの同士を順次互いに摺動可能に挿入されて組み合わされた伸縮可能なロッドであることを特徴とする請求項１乃至請求項７に記載のカメラ取り付け用保持具。
【考案の詳細な説明】
【技術分野】
【０００１】
本考案は、カメラ取り付け用保持具に関し、特に棒状ロッドの先端部にカメラの取り付け角度を調整可能に取り付けたカメラ取り付け用保持具に関する。
【背景技術】
【０００２】
近年、運動会や旅行には人々は常時カメラを携帯し、好みの人物や風景や物体をその都度撮影している。
またグループで出掛けたり、子供や夫婦など少数の家族や近い友人や新婚旅行では２・３人で旅行するが、このときこそカメラやビデオカメラを殆ど携帯して行く。
人は旅などの出先では、気になった建物、風景、装飾品、展示物の前で記念撮影をしている。
特に旅行者自信は連れの者と、展示像や風景をバック・背景に写真を撮ることを望んでいる場合が多い。被写体が自己となるので、その時には近くの他人にお願いして、自己のカメラをその人に渡し、シャッターを切ってもらっている。
【０００３】
公開された特許・考案を、カメラのスタンドとロッドと保持具のキーワードで検索・調査したが、カメラ取り付け用保持具やロッドの先端部に取り付けたカメラに関連する文献は発見されなかった。
【考案の概要】
【考案が解決しようとする課題】
【０００４】
桜の季節になると、各地の公園では親子連れののどかな光景が見られる、例えばきれいな花壇の前で家族が共に写真を撮る姿も多い。
いざ撮影となると、決まって父親が母親と並んだ子供たちを撮影し、次に母親が父親と並んだ子供たちを撮影している。父親・母親・子供たち一緒の撮影を実行しようとすると、通行人に頼むことになるが、気の弱い家族は他人に頼むことができず、せっかくの記念写真も家族全員そろった映像を撮ることが簡単ではないという問題があった。
【０００５】
特に新婚または中年夫婦が旅行する場合は、風景が良くても余り観光客のいない、観光地もあり、２人並んだ撮影が殆ど不可能であった。
後で振り返って旅の記念写真を見ても、誰か一人別々の映像であって、せっかくの思い出の写真が物足りないものとなることが多かった。
【課題を解決するための手段】
【０００６】
この考案は記念となる人物撮影では、参加者が全員同時に撮影できるようにしたものである。第１の考案は、カメラが取り付けられる台部と、後端部に把持部が形成されたロッドと、このロッドの先端部と前記台部との間に介在されこれらを互いに連結する首振り手段と、からなるカメラ取り付け用保持具であって、前記首振り手段は前記台部を前記ロッドの軸方向に対して任意な方向に傾き可能であることを特徴する。
【０００７】
第２の考案は、第１の考案において、前記首振り手段は、前記ロッドの先端に固定される基部と前記台部とを互いに揺動自在に取り付ける揺動手段と、前記揺動手段による前記基部と前記台部との揺動の禁止や禁止解除を行うための制動部と、前記台部に回転自在に取り付けられるものであって前記台部より外方に一部が突出する回転操作手段と、前記回転操作手段に一端が固定されるものであって他端が前記台部より外方に突出してカメラに形成された雌螺子と螺合するための雄螺子と、を有し、前記基部と前記台部との傾斜角度を前記制動部によって調整し、前記カメラの雌螺子と前記回転操作手段の前記雄螺子とを螺合して前記カメラを前記台部に固定する際に、前記台部に対する前記カメラの取り付け角度を調整することを特徴する。
【０００８】
第３の考案では、前記揺動手段は、前記基部に前記ロッドの軸方向に対して直交する位置に回転自在に支持される回転軸と、前記台部の後端に固着されるとともに前記回転軸に固定される回動部と、から構成したことを特徴する。
第４の考案では、前記制動部は、前記基部に設けられて押されることにより、回動部と前記基部との間に摩擦力を発生して、前記回転軸の回転を禁止することを特徴とする。
【０００９】
第５の考案では、前記首振り手段は、前記台部を先端に固定し後端が前記ロッドに固定される折れ曲がり可能な蛇腹機能を備えた蛇腹部から構成し、この蛇腹部は所定の形状に外力を加えると変形し、外力を除去するとこの変形状態を保持することを特徴する。
【００１０】
第６の考案は、第５の考案において、前記蛇腹部の断面が環状または多角形であることを特徴とする。
第７の考案は、第５の考案において、前記台部は中央部から先部を上方が開放した箱状であるとともに、前記箱状の台部は携帯電話を収容可能な大きさに形成し、この携帯電話のカメラ機能部のレンズの高さより前記台部の箱状の上端が下になる高さに形成し、前記台部に挿入されたカメラを前記台部と共に、前記蛇腹部に外力を加えて折り曲げて適宜変形し、外力を除去するとこの変形状態を保持することにより当該カメラの撮影方向を前記ロッドの長手方向に関して任意に設定することを可能にしたことを特徴する。
【００１１】
第８の考案は、第１の考案又は、請求項１乃至請求項７において、前記ロッドは、大小異半径の複数の単位円筒が半径の近いもの同士を、又は断面が多角形の相似単位角柱が面積が近いもの同士を順次互いに摺動可能に挿入されて組み合わされた伸縮可能なロッドであることを特徴とすることを特徴とする。
【考案の効果】
【００１２】
第１の考案によれば、カメラの向きを台部と共に被写体の向きになるように首振り角度を設定する。複数人で記念碑などを背景に記念撮影をする際には、一定長のロッドの場合は被写体が満足に入るカメラ距離となるように腕の前への突き出し量を決める。次に、これらの距離決定・角度設定後に被写体であり撮影者である一人が、ロッドの把持部を握りカメラを保持する。直前にはカメラのチャッタータイマーを例えば３秒に設定すれば、全員が同時に並んで撮影する。他人の助けを必要としないで、同時に同一映像として撮影・確保できる。
【００１３】
第２の考案と第３の考案によれば、カメラの首振り角度を首振り手段により設定する構造が各種有り、且つ設定した角度が安定して保持でき、撮影映像が確実に希望通りものになる。
第４の考案によれば、摩擦力を発生して、前記回転軸の回転を禁止構造が簡単にできる。
【００１４】
第５の考案によれば、カメラの首振り手段を廉価なもので構成し、普及が図れる。
第６の考案によれば、カメラの首振り手段を工作機械の規格や性能に応じて作製できる。
第７の考案によれば、カメラ機能付き携帯電話でも、撮影者が無理に腕を伸ばさないで被写体と撮影者が、同時に撮影できる。
【００１５】
第８の考案によれば、ロッドを工作機械の規格や性能に応じて作製できる。
【考案を実施するための形態】
【実施例１】
【００１６】
以下、本考案の実施の形態１を添付図面に基づいて説明する。
図１に示すように、伸縮可能なロッド１は携帯ラジオなどのアンテナに使用されるものと略同様な構造となっている。即ちロッド１は、大小異半径の複数の単位円筒２を半径の近いもの同士を順次互いに摺動可能に挿入されて組み合わされている。
従ってロッド１の先端部は比較的にやや細くなり、その後端部に向かって次第に比較的に太くなっている。
隣り合う異半径の単位円筒２同士は、軸方向の押すまたは引っ張る外力により摺動され、外力を除いた位置で互いの摩擦力により固定される。即ち互いの摩擦力に勝る外力で引き伸ばしたり、押したりすると伸縮し、外力を取り除いた位置でロッド１の長さが設定できる。
【００１７】
ロッド１の細い先端部には、基部４の下端が固着され、またロッド１の太い後端部には撮影者が握る把持部５が形成される。
図２に示すように、基部４の上端部には回転軸７が、ロッド１の軸方向に対して直交する平面上に延在するように設けられている。
回転軸７には回動部３が連結され、回転軸７が基部４に固定される構成では、回動部３の後端部が回転軸７に対して揺動自在に支持される。回転軸７が基部４に対して回転自在支持される構成では、回動部３の後端部は回転軸７に固定される。
どちらの構成でも、回動部３は回転軸７を中心に基部４に対して揺動可能となっている。
回動部３の先端に台部６の後端が固着され、台部６の上端にカメラ３０が取り付け可能となっている。
従って、回動部３と共に台部６及びカメラ３０が回転軸７を中心に基部４に対して揺動可能となる。回動部３と回転軸７と制動部８とが揺動手段を構成している。
【００１８】
また基部４の側方には、回転軸７を中心とする回動部３及び台部６の揺動、あるいは回転軸７と同時揺動する回動部３及び台部６の揺動を、制止し又は揺動を可能とする制動部８を設ける。制動部８は押されることにより、回動部３と基部４との間に摩擦力を発生して、回転軸７の回転を禁止する。この制動構造は公知のものであり、詳細は省略する。
基部４と揺動手段（回転軸７と回動部３）と制動部８と、後述する回転操作手段９と雄ねじ１１とが首振り手段を構成している。
次に、台部６の内方で中央部から先端部にかけて断面が凸状の空間を形成し、この空間に回転操作手段９を配置し、回転操作手段９が台部６に対して回転自在に保持されるようにする。
この回転操作手段９は円盤状の鍔部１０とこの鍔部１０と一体形成され外周にネジ山が形成された雄ねじ１１とからなり、鍔部１０の外周は台部６の側方より、即ち凸状の横の空間から外部に露出している。
また雄ねじ１１は台部６の上端から、即ち凸状の上方の空間から外部に突出している。
【００１９】
回転操作手段９の雄ねじ１１の向きは、回転軸７の軸方向に対して垂角になるように設定される。
次に、ロッド１の先端部に取り付けたカメラ３０の使用方法について図１、２、３を参照して説明する。
図１と図２では、まず台部６にカメラ３０の底面を合わせて、この底面に設けられた雌螺子のねじ穴１５に、回転操作手段９の雄螺子の雄ねじ１１を矢印Ｃのように当接する。
回転操作手段９の鍔部１０を図２の矢印Ｄのように回転して、ねじ穴１５に雄ねじ１１をねじ込み締め付けて、カメラ３０を台部６に固定する。
台部６に対してカメラ３０の撮影方向を変えたい時には、ねじ穴１５に締め付けた雄ねじ１１を緩めて、所望の方向にカメラ３０を向けて、その位置で、再度ねじ穴１５に雄ねじ１１をねじ込み締め付けて台部６に固定する。
【００２０】
図１と図２において、カメラ３０及び台部６を手で押すことで、回動部３が回転軸７の回りに基部４に対して円弧矢印Ｂのように適宜首振り揺動する。
制動部８により揺動後の静止位置を一時固定し、カメラ３０の撮影方向をロッド１の長手方向に関して所望の角度に設定する。
ロッド１の複数の各単位円筒２を図１において、互いに矢印Ａのように人手による外力を加えて摺動して、ロッド１の長さを適度の長さに設定する。人手による外力を除くと、ロッド１の長さは複数の各単位円筒２の互い摩擦力により長さが保持される。
【００２１】
図３において、撮影者の母親Ｈ１と幼稚園児Ｈ２の親子が同時に被写体となる位置にロッド１の長さを図３の矢印Ａのように調整する。次にカメラ３０の向きを被写体Ｈ１、Ｈ２の向きになるように図３の矢印Ｂのように首振り角度を設定する。これら調整・設定後にカメラ３０のチャッタータイマーを例えば３秒に設定すれば、母親Ｈ１と幼稚園児Ｈ２の２人は、他人の助けを必要としないで、同時に同一映像として撮影・確保できる。
【００２２】
家族数は父親、祖父・祖母、兄妹いろいろな人数でも、人数に応じて、また背景を広く・狭く含めるなど、ロッド１の長さを調整し、カメラ３０の向きを調整する。被写体の一人がロッド１の保持部５を手Ｔで握り持つようにして、他人の助けを必要としないで、全員の写真をとることができる。
撮影の際ロッド１を延在方向を中心に９０度回転させた位置で、把持部５をやや強く握って、カメラ１を横にした状態にすれば、縦・横を代えた枠で撮影できる。
またカメラ３０はビデオカメラでもいい、撮影者が被写体となり、参加者の中でダンスしている姿など同時に撮影できる。
なお、ロッド１は適当な長さの固定長のものでもよく、この時はカメラ３０の距離はロッド１の掴む位置で設定できる。
【００２３】
カメラ３０側に赤外線受信回路を内蔵して、撮影者が赤外線送信装置を持ち、赤外線受信回路で赤外線信号を受けとるようにできる。受信した赤外線信号により赤外線受信回路がシャッター信号を発生して、チャッタータイマーに代えて、撮影タイミングを取るようにしてもいい。
また撮影前、チャッターオン前には、被写体の映像がカメラの表示部に表示されるが、この被写体の映像信号を有線または無線で、撮影者に設けた小型の画像受信装置に送り、手元の表示装置に表示できる。撮影者はこの表示映像を見て、ロッド１の手からの傾きやロッド１の長さを適宜設定して、撮影条件がそろった時点で撮影できる。これにより満足な写真を確実に撮ることができる。
【実施例２】
【００２４】
以下、本考案の実施の形態２を図４に基づいて説明する。
図４において、実施例１とは台部６と基部４の構造が相違いし、ロッド１の細い先端部には、基部４に代えて蛇腹部１６の下端面が固着され、ロッド１の太い後端部には実施例１と同様に把持部５が形成される。
蛇腹部１６は首振り手段の一形態であり蛇腹部１６の先端面には、台部１７の平面に形成され後端面が固着される。この蛇腹部１６は所定の形状に撮影者が手で外力を加えると変形し、外力を除去するとこの変形状態を保持する。
台部１７の内方で中央部から先端部にかけて形成された凸状の空間と回転操作手段９は実施例１と同様に構成される。
【００２５】
蛇腹部１６はその断面形状は４辺形であり、外力により各辺を中心に折れ曲げがそれぞれ可能である。図４では蛇腹部１６は全体として略９０度折り曲げた形を示している。
図４では蛇腹部１６は断面が４辺形を示したが、この形状に拘束されること無く、断面形状は水道の出口栓に使われる断面円でもよい。更に断面形状は５角形、六角計など任意の多角形でもよい。
【００２６】
なお更に、ロッド１の形状は、大小異半径の複数の単位円筒２を半径の近いもの同士を順次互いに摺動可能に挿入されて組み合わしたものに限定されず、単位角柱を大きさのやや異なる断面が相似４辺形、相似五辺形など相似多辺形角柱としてもよい。即ち断面が多角形の相似単位角柱を、断面積が近いもの同士を順次互いに摺動可能に挿入されて組み合わされたものでもよい。
更にロッド１は長さ方向から複数箇所で折りたためる複数の棒状材で構成してもいい。なお更にロッド１は、複数箇所で接続・分離できる複数の棒状材で構成してもいい。これら複数の棒状材の断面は円形、多角形など自由なものから構成できる。
折りたたむことにより、または構成棒材を互いに分離することで長さを短くし、ポケットやかばんに入れて持ち運びが容易になる。
【００２７】
次に実施の形態３を図５、図６に基づいて説明する。
実施例１とは台部６の構造が相違いし、この台部２１は箱状であり、カメラ機能付き携帯電話２３を保持できる。前述のカメラ３０でも同様に保持できる。箱状の台部２１は上方と側方左右が開放している、側板２２を左右に付けて脱落を防止し、大きさは携帯電話２３が挿入されるサイズに形成する。携帯電話２３のカメラ機能部のレンズ２４が箱状の台部２１の上端より上にくる高さに形成する。箱状の台部２１は上方のみ開放してもいい。
図６においてこの台部２１は回動部２５の図中上端面に固定され、実施例１の台部６から回転操作手段９と凸状の穴をのぞいたものである。カメラでもいいがカメラ機能付き携帯電話２３を箱状の台部２１に入れて実施例１と同様、図３のように被写体の映像が撮影できる。
【００２８】
次に実施の形態４を図５、図７に基づいて説明する。
実施例２とは台部１７の構造が相違いし、実施の形態３と同様でこの台部２１は箱状であり、カメラ機能付き携帯電話２３を保持できる。前述のカメラ３０でも同様に保持できる。箱状の台部２１は上方と側方左右が開放している、大きさは携帯電話２３が挿入されるサイズに形成する。携帯電話２３のカメラ機能部のレンズ２４が箱状の台部２１の上端より上にくる高さに形成する。
この台部２１は実施例２の蛇腹部１６図中上端面に固定される。カメラでもいいがカメラ機能付き携帯電話２３を箱状の台部２１に入れて実施例２と同様、図３のように被写体の去る映像が撮影できる。
【産業上の利用可能性】
【００２９】
社会が豊かになり、多くの消費者が携帯カメラやカメラ機能付き携帯電話を持参するようになったので、桜の鑑賞、旅行先での記念、出会い時の思い出写真などいろいろな場所、時で自己を含めた撮影を他人の手を借りることなく実行できる。
価格も低廉なロッドであるので、多くの消費者の要求に応えられる。
【図面の簡単な説明】
【００３０】
【図１】本考案の実施の形態１を示すロッドの先端部に取り付けたカメラの斜視図。
【図２】図1の部分側面図。
【図３】本考案のロッドの先端部に取り付けたカメラの使用例を示す図。
【図４】本考案の実施の形態２のカメラを除いたロッドの斜視図。
【図５】本考案の実施の形態３のカメラを保持する箱状の台部の斜視図。
【図６】本考案の実施の形態３のカメラ機能つき携電話の使用例を示す図。
【図７】本考案の実施の形態４カメラ機能つき携電話の使用例を示す図。
【符号の説明】
【００３１】
１  ロッド
２  単位円筒
３、２５  回動部
４  基部
５  把持部
６、１７、２１  台部
７  回転軸
８  制動部
９  回転操作手段
１０  鍔部
１１  雄ねじ
１５  ねじ穴
１６  蛇腹部
２２  側板
２３  携帯電話
２４  レンズ
３０  カメラ
【図１】
0003161548.tif 000003
【図２】
0003161548.tif 000004
【図３】
0003161548.tif 000005
【図４】
0003161548.tif 000006
【図５】
0003161548.tif 000007
【図６】
0003161548.tif 000008
【図７】
0003161548.tif 000009
【手続補正書】
【提出日】平成22年5月28日(2010.5.28)
【手続補正１】
【補正対象書類名】実用新案登録請求の範囲
【補正対象項目名】請求項４
【補正方法】変更
【補正の内容】
【請求項４】
前記制動部は、前記基部に設けられ押されることにより、前記回動部と前記基部との間に摩擦力を発生して、前記回転軸の回転を禁止することを特徴とする請求項３に記載のカメラ取り付け用保持具。
【手続補正２】
【補正対象書類名】実用新案登録請求の範囲
【補正対象項目名】請求項８
【補正方法】変更
【補正の内容】
【請求項８】
前記ロッドは、大小異半径の複数の単位円筒が半径の近いもの同士を、又は断面が多角形の相似単位角柱が面積が近いもの同士を順次互いに摺動可能に挿入されて組み合わされた伸縮可能なロッドであることを特徴とする請求項１乃至７のいずれか１項に記載のカメラ取り付け用保持具。